(57)【特許請求の範囲】
【請求項１】
気送子本体の上半部と下半部とがヒンジにより開閉自在に結合され、気送子本体の前後双方にリングが設けられた気送子において、
前記上半部と前記下半部とは上下方向に沿って対称な同形状で、前記上半部と下半部には共に上半部と下半部との対向面に沿って環状の溝が設けられて、
中空で環状の弾性体が頂部が溝から突き出すように上半部の溝と下半部の溝の一方に収容され、上半部の溝と下半部の溝の他方に前記対向面に沿って溝から突き出す環状の弾性体から成る突条が収容されて、前記突条と前記中空の弾性体とにより上半部と下半部との隙間をシールするように構成され、
かつ前記上半部に先端に突起を備えたフックが回動自在に設けられ、下半部にフック先端の突起を係合する係合部が設けられ、さらに上半部に前記突起を係合部に係合させる向きにフックを付勢する弾性体が設けられ、かつ前記係合部に、フック先端の突起と当接した際に、係合を保持する向きの力を突起へ加えるように傾斜した係合面が設けられていることを特徴とする、気送子。
【請求項２】
気送子本体から見た係合部の外側の端面が、フックを反発する向きに傾斜していることを特徴とする、請求項１の気送子。
【発明の詳細な説明】
【技術分野】
【０００１】
この発明は気送子に関し、特に液体を搬送する気送子に関する。
【背景技術】
【０００２】
病院等での尿、血液等の検査のため、液体試料を気送子で搬送することが増している。この場合、気送子の蓋を簡単にロックできて、しかも液漏れが生じないようにする必要がある。従来の気送子では、気送子の蓋を閉めた後に、ロックをかけるようにしており、蓋を閉じることとロックすることの２段階の作業が必要で不便である。  
【０００３】
関連する先行技術を示すと、特許文献１（特許3955803）は、気送子の前後一対のリングの一方を気送子本体の上半部に、他方を下半部に取り付けることを開示している。このようにすると、気送管の内面にリングが接しているため、搬送中に気送子が開くことを防止できる。これは気送子のリングを用いて、気送子が不用意に開くことがないようにするものである。発明者は、気送子本体の上半部と下半部とを１ステップでロックでき、しかも液漏れが生じない構造を検討して、この発明に到った。
【先行技術文献】
【特許文献】
【０００４】
【特許文献１】特許3955803
【発明の概要】
【発明が解決しようとする課題】
【０００５】
この発明の基本的課題は、気送子本体を１ステップでロックでき、しかも液漏れがしないようにすることにある。
この発明での追加の課題は、気送子本体の上半部と下半部とを同じ金型で成型できるようにすることにある。
この発明での追加の課題は、気送子本体を開く向きに遠心力等が作用しても、ロックが解除されないようにすることにある。
この発明での追加の課題は、気送子本体がロックされているかどうか、容易に視認できるようにすることにある。
【課題を解決するための手段】
【０００６】
この発明は、気送子本体の上半部と下半部とがヒンジにより開閉自在に結合され、気送子本体の前後双方にリングが設けられた気送子において、
前記上半部と前記下半部とは上下方向に沿って対称な同形状で、前記上半部と下半部には共に上半部と下半部との対向面に沿って環状の溝が設けられて、
中空で環状の弾性体が頂部が溝から突き出すように上半部の溝と下半部の溝の一方に収容され、上半部の溝と下半部の溝の他方に前記対向面に沿って溝から突き出す環状の弾性体から成る突条が収容されて、前記突条と前記中空の弾性体とにより上半部と下半部との隙間をシールするように構成され、
かつ前記上半部に先端に突起を備えたフックが回動自在に設けられ、下半部にフック先端の突起を係合する係合部が設けられ、さらに上半部に前記突起を係合部に係合させる向きにフックを付勢する弾性体が設けられ、かつ前記係合部に、フック先端の突起と当接した際に、係合を保持する向きの力を突起へ加えるように傾斜した係合面が設けられていることを特徴とする。
【０００７】
この発明では、気送子本体の上半部を下半部側に押し込むと、弾性体によりフックが回動して、フック先端の突起が係合部に係合する。この時、気送子本体の上半部は下半部側へ押し込まれているので、突条が中空の弾性体に当接して中空の弾性体を窪ませ、上半部と下半部との隙間がシールされる。そして突起の係合と弾性体による付勢とのため、突起が係合部から不用意に外れることはない。このように上半部と下半部とを閉じる１ステップの動作で気送子をロックでき、しかも液漏れが生じない。なお上半部及び下半部は、気送子に液体試料を出し入れする際の姿を基準とし、搬送中には上半部と下半部とが反転していることもある。
【０００８】
この発明では、前記上半部と前記下半部とが上下方向に沿って対称な同形状で各々前記の溝を備え、かつ前記突条が前記溝から突き出す弾性体である。気送子は大量に生産するものではないので、金型のコストが無視できない。しかし上記のようにすると、上半部と下半部とを同じ金型で成型で、部品を共通化できる。
【０００９】
この発明では、前記係合部に、フック先端の突起と当接した際に、係合を保持する向きの力を突起へ加えるように傾斜した係合面が設けられている。従って、弾性体により突起が一旦係合部に係合すると、係合が確実に保持される。このため気送子内の物品に働く遠心力等のため、気送子を開く向きの力が上半部或いは下半部に加わっても、係合が外れることがない。従って液漏れをより確実に防止できる。
【００１０】
好ましくは、気送子本体から見た係合部の外側の端面が、フックを反発する向きに傾斜している。従って突起が係合部に係合していない場合、フックは係合部から離れるため、上半部と下半部との隙間はシールされず、ロックがかかっていないことが一目で分かる。このため、ロックが不完全であることに気付かずに気送子の搬送を開始し、搬送中に液漏れが生じることがない。
【図面の簡単な説明】
【００１１】
【図１】実施例の気送子の斜視図
【図２】実施例の気送子での下半部の平面図
【図３】実施例の気送子でのフックを閉じた状態での要部鉛直方向断面図
【図４】実施例の気送子でのフックを開いた状態での要部鉛直方向断面図
【図５】実施例の気送子でのフックを閉じた状態での鉛直方向断面図
【図６】実施例の気送子でのフックを開いた状態での鉛直方向断面図
【発明を実施するための最良の形態】
【００１２】
以下に本発明を実施するための最適実施例を示す。実施例は本発明の範囲を制限するものではなく、公知技術の範囲で自由に変更できる。  
【実施例】
【００１３】
図１〜図６に実施例を示す。各図において、２は気送子で、気送子２の本体４と、その前後のヘッド１０，１０とから成り、ヘッド１０の周面には摺動リング１１が設けられ、図示しない気送管の内面に対し摺動する。本体４は下半部６と上半部７とからなり、これらは上下対称な同形状で、同じ金型で合成樹脂から成型する。下半部６と上半部７との対向面に沿って、上半部７と下半部６とに各々後述の溝３０が環状に設けられ、一方の溝には突条で中実で環状の弾性体８が、他方の溝には中空で環状の弾性体９が収容されている。弾性体８，９の材質は例えば合成ゴムで、弾性体９の配置を図２に示し、弾性体８の配置も同様である。
【００１４】
上半部７に、左右一対の固定部１２を固着し、固定部１２，１２間にフック１４とレバー１６とを回動自在に取り付ける。図３のピン２１はレバー１６を固定部１２に取り付け、ピン２３はフック１４を固定部１２に取り付け、ピン２２はレバー１６とフック１４とを連結する。このためレバー１６を押し込むと、フック１４が係合部２６から離れる向きに回動する。フック１４はスプリングコイル等のバネ２０で、ピン２３を中心に係合部２６と係合する向きに回動するように付勢され、この結果、上半部７を下半部６へ向けて押し下げると、フック１４は係合部２６の頂部２９を越えて係合される。なお１８はバネ２０を支持するバネ受けで、上半部７とは別体である。
【００１５】
フック１４は先端に突起２４を備え、係合部２６は上半部７と下半部６とを同形状とするため、上半部７と下半部６の各々に設けられている。係合部２６にはフック１４の突起２４を係合するための凹部が有り、凹部の外側の面から成る係合面２７は、突起２４に触れると図３のように斜め下向きの反力Ｆを及ぼすように、鉛直面から斜め外側が下方となるように傾斜している。反力Ｆを、ピン２３と突起２４とを結ぶ方向の成分Ｆａと、成分Ｆａに直角な方向の成分Ｆｂとに分解すると、成分Ｆｂは突起２４との係合を保持し、フック１４によるロックを保持する向きに作用する。このため、搬送物品への遠心力等により、搬送中に上半部７を開く向きの力が加わっても、ロックが解除されることがない。係合部２６の外側の端面は反発面２８を成し、鉛直方向下向きから図４のように角度θだけ外向きに傾斜して、フック１４と接するとフック１４を外側に戻す向きの力を加える。角度θは例えば１°〜１０°程度とする。
【００１６】
下半部６と上半部７とはヒンジ３２で開閉自在に連結され、図２に示すように、ヒンジ半部３４を下半部６と上半部７とに各々設けて、図示しない軸で互いに連結する。図２の３６はビスで、前後のヘッド１０，１０を下半部６に固着する。３８は気送子２の内部スペースで、液体試料の入ったコップ等の容器を保持し、実使用時には図示しない容器の受け部材を収容する。
【００１７】
実施例の作用を説明する。病院、検査機関等で、尿、血液等の液体試料を搬送する場合、コップ等の容器に試料を入れ、蓋をして気送子２の内部スペースにセットする。次に上半部７を押し下げ、フック１４の先端の突起２４が係合部２６の頂部２９よりも低い位置に達すると、バネ２０からの力で突起２４は係合面２７に係合される。この時、中実の弾性体８が中空の弾性体９を窪ませるように押圧して、上半部７と下半部６間のシールとロックとが完成する。従って１ステップでロックができる。  
【００１８】
上半部７の押し下げ方が不十分な場合、フック１４は反発面２８で反発されて突起２４は係合部２６に係合されず、手を離すと上半部７と下半部６との間に隙間が残り、フック１４はフリーである。そこでロックが行われていないことが視覚的に直ちに分かり、ロックは行われたか行われていないかのどちらかで、不完全なロックは生じない。このためロックが不完全であるための液漏れがない。
【００１９】
搬送の途中で、搬送物品が遠心力等で上半部７へ衝突し、ロックを解除する向きの力が加わることがある。しかし突起２４が係合面２７を押すと、係合を保持する向きの反力成分Ｆｂが加わるので、ロックが解除されることがない。以上のように実施例では、
・  上半部７を押し下げる１ステップで上半部７と下半部６とをロックでき、
・  反発面２８のため中途半端なロックは生じず、
・  搬送中に上半部７を開く力が作用しても、係合面２７の傾斜のため突起２４が係合面２７から外れない、
・  下半部６に前後のヘッド１０，１０を固定したので、搬送中に上半部７と下半部６とが上下逆にならない、
との効果が得られる。なお上半部７と下半部６とを同形状にしない場合、係合部２６は下半部にのみ設ければよく、また弾性体８の代わりに例えば上半部７の合成樹脂で突条を形成しても良いが、このようなものは本発明には含まれない。
【符号の説明】
【００２０】
２          気送子
４          本体
６          下半部
７          上半部
８，９      弾性体
１０        ヘッド
１１        摺動リング
１２        固定部
１４        フック
１６        レバー
１８        バネ受け
２０        バネ
２１〜２３  ピン
２４        突起
２６        係合部
２７        係合面
２８        反発面
２９        頂部
３０        溝
３２        ヒンジ
３４        ヒンジ半部    
３６        ビス
３８        内部スペース
【図１】
0005756277.tif 000002
【図２】
0005756277.tif 000003
【図３】
0005756277.tif 000004
【図４】
0005756277.tif 000005
【図５】
0005756277.tif 000006
【図６】
0005756277.tif 000007